(57)【特許請求の範囲】
【請求項１】
スイッチング電源用の電流検出回路において、前記スイッチング電源の入力電流を検出して電圧変換信号に変換する入力源に抵抗を接続し、この抵抗の出力側に接続部を設け、この接続部に固定電位を有するスイッチを接続し、前記接続部の出力側に第二の接続部を設け、この接続部に固定電位を有するコンデンサを接続し、前記抵抗と前記接続部との間に第三の接続部を設け、この接続部に外部入力部を接続し、この外部入力部に第二の抵抗を設けて、前記電圧検出信号に外部基準電圧による充電波形を重畳させるようにしてあることを特徴とする電流検出回路。
【発明の詳細な説明】
【技術分野】
【０００１】
本発明は、スイッチング電源用の電流検出回路に関するものである。
【背景技術】
【０００２】
従来のスイッチング電源用の電流検出回路は、図３に示すように、入力源Ｖinはコンバータの入力側に接続し、この入力側に流れる電流を抵抗で検出して電圧値に変換して出力するように構成してある。入力源Ｖinと電流検出部との間に抵抗Ｒ１を接続し、出力部Ｖoutに接続してある、コンバータのメインスイッチのオン・オフを制御する制御回路に出力していた（例えば、特許文献１参照）。
【特許文献１】特開平８−２２３４３７号公報
【発明の開示】
【発明が解決しようとする課題】
【０００３】
しかし、この回路は、図４に示すように、入力源Ｖinからサージ電流が発生すると、サージ電流をピーク電流として誤検出し、その後に発生するピーク電流を検出しないという問題が生じた。
【０００４】
本発明は、上記問題に鑑みてなされたものであり、サージ電流を抑制してピーク電流を確実に検出することができる電流検出回路を提供する。
【課題を解決するための手段】
【０００５】
上記課題を解決するために、本発明に係る電流検出回路は、スイッチング電源用の電流検出回路において、前記スイッチング電源の入力電流を検出して電圧変換信号に変換する入力源に抵抗を接続し、この抵抗の出力側に接続部を設け、この接続部に固定電位を有するスイッチを接続し、前記接続部の出力側に第二の接続部を設け、この接続部に固定電位を有するコンデンサを接続し、前記抵抗と前記接続部との間に第三の接続部を設け、この接続部に外部入力部を接続し、この外部入力部に第二の抵抗を設けて、前記電圧検出信号に外部基準電圧による充電波形を重畳させるようにしてあることを特徴とする。
【発明の効果】
【０００６】
本発明によれば、入力源に抵抗を接続し、この抵抗の出力側に接続部を設け、この接続部に固定電位を有するスイッチを接続し、前記接続部の出力側に第二の接続部を設け、この接続部に固定電位を有するコンデンサを接続し、前記抵抗と前記接続部との間に第三の接続部を設け、この接続部に外部入力部を接続し、この外部入力部に第二の抵抗を設けて、電流検出部に外部基準電圧による充電波形を重畳させることにより、サージ電流が見かけ上抑制され、ピーク電流のみを検出することが可能であり、誤検出を防止することができる。
【発明を実施するための最良の形態】
【０００７】
発明を実施するための最良の形態に係るスイッチング電源用の電流検出回路の回路図を図１に示す。図１図示の電流検出回路は、スイッチング電源の入力電流を電圧変換して電圧変換信号として入力源Ｖinから出力して出力部Ｖoutに出力するものである。出力部Ｖoutはスイッチング電源の制御回路に接続し、この電圧変換信号はコンバータのメインスイッチのオン・オフを制御するための信号として使用される。
【０００８】
入力源Ｖinに抵抗Ｒ１を接続してある。この抵抗Ｒ１の出力側に接続部を設け、この接続部に固定電位を有するスイッチＳＷを接続してある。なお、このスイッチＳＷはバイポーラトランジスタやＦＥＴなどが想定できるが、素子について限定しない。抵抗Ｒ１と前記接続部との間に接続部を設け、この接続部に外部入力部を接続し、この外部入力部に第二の抵抗Ｒ２を設けてある。以上の構成より、に外部基準電圧による充電波形を重畳させることができる構成となる。さらに、スイッチＳＷと接続する接続部の出力側には別の接続部を有し、この接続部に固定電位を有するコンデンサＣを接続してある。
【０００９】
以上のように構成されている電流検出回路の作用について説明する。この回路は入力源Ｖin１で電流を検出するとこれを電圧に変換し、この電圧変換信号を、抵抗Ｒ１を介して出力部Ｖoutへ出力する。スイッチング電源お立ち上がり時に通常図４に示すように、サージ電流が発生し、電流検出回路はピーク電流と判断する。しかし、本実施例においては、図２の最上の波形図並びに上から二番目の波形図に示すように、スイッチング電源のメインスイッチがオンする前に、スイッチＳＷをオンさせる。これにより、入力源Ｖinにおいては電流が流れていたとしても、出力部Ｖoutにおける電流検出波形が０の状態となる。この状態になり、スイッチング電源のメインスイッチがオンする直前に、スイッチＳＷをオフさせる。
【００１０】
続いて、スイッチング電源のメインスイッチがオンすると、図２の真ん中の波形図に示すように、サージ電流が発生した後、時間と正比例して電流が徐々に増えていく、一方、外部入力部から基準電圧が発生すると、抵抗Ｒ２に電流が流れる。また、この電流はコンデンサＣに蓄えられ、図２の下から二番目の波形図で示すように、スイッチング電源のメインスイッチがオンすると同時に電流が徐々に増加し、コンデンサＣが充電されると電圧が一定値になる。本発明では、外部入力部からの基準電圧と入力源Ｖinから発生する電圧を重畳させるため、図２の最下の波形図に示すように、図２の真ん中の波形と下から二番目の波形とを加算した状態となる。この場合、サージ電流は残るが、ピーク電流に比べると微小となるため、ピーク電流のみを検出することが可能であり、誤検出を防止することができる。
【００１１】
本実施例では、スイッチング電源のメインスイッチがオンする直前に、スイッチＳＷをオフさせているが、スイッチング電源のメインスイッチがオンした直後にスイッチＳＷをオフさせてもよい。その場合は、サージ電流はスイッチＳＷ側へ流れるため、出力部Ｖoutにおいてはサージ電流を検出しない。これにより、サージ電流をマスクすることができ、ピーク電流のみを検出することが可能であり、誤検出を防止することができる。
【００１２】
なお、本発明は、すべてのスイッチング電源において本発明に係る電流検出回路を用いることが可能である。
【産業上の利用可能性】
【００１３】
本発明によれば、入力源に抵抗を接続し、この抵抗の出力側に接続部を設け、この接続部に固定電位を有するスイッチを接続し、前記接続部の出力側に第二の接続部を設け、この接続部に固定電位を有するコンデンサを接続し、前記抵抗と前記接続部との間に第三の接続部を設け、この接続部に外部入力部を接続し、この外部入力部に第二の抵抗を設けて、電流検出部に外部基準電圧による充電波形を重畳させることにより、サージ電流が見かけ上抑制され、ピーク電流のみを検出することが可能であり、誤検出を防止することができ、産業上利用可能である。
【図面の簡単な説明】
【００１４】
【図１】本発明に係るスイッチング電源における電流検出回路の一実施例を示した回路図である。
【図２】図１図示実施例に係る電流検出波形図である。
【図３】従来における電流検出回路を示した回路図である。
【図４】図３図示従来例に係る電流検出波形図である。
【符号の説明】
【００１５】
Ｖin  入力源
Ｖout  出力部
Ｒ１，Ｒ２  抵抗
ＳＷ  スイッチ
Ｃ  コンデンサ
【図１】
0005241197.tif 000002
【図２】
0005241197.tif 000003
【図３】
0005241197.tif 000004
【図４】
0005241197.tif 000005